(57)【要約】【課題】スパムメールを漉し出して自動で遮断することができるようにしたダイナミックＵＲＬ接続を通じたスパムメール自動遮断方法を提供する。【解決手段】本発明のダイナミックＵＲＬ接続を通じたスパムメール自動遮断方法は、多数のメールサーバがインターネットを通じて連結されてなる電子メールシステムにおいて行われるスパムメール自動遮断方法において、受信される電子メールのメッセージ原本に存するダイナミックＵＲＬ情報を抽出する段階；前記抽出されたダイナミックＵＲＬ情報にリンクされたウェブページに接続を行なう段階；及び前記ウェブページのコンテンツのうち予め規定されたスパムキーワードが存する場合に前記受信電子メールをスパムメールとして分類する段階を含んでなることを特徴とする。【選択図】  図２
2004240945.tif 000002
【特許請求の範囲】
【請求項１】
多数のメールサーバがインターネットを通じて連結されてなる電子メールシステムで行われるスパムメール自動遮断方法において、
受信される電子メールのメッセージ原本に存するダイナミックＵＲＬ情報を抽出する段階；
前記抽出されたダイナミックＵＲＬ情報にリンクされたウェブページに接続を行なう段階；及び
前記ウェブページのコンテンツのうち予め規定されたスパムキーワードが存する場合に前記受信電子メールをスパムメールとして分類する段階を含んでなることを特徴とするダイナミックＵＲＬ接続を通じたスパムメール自動遮断方法。
【請求項２】
前記ウェブページのコンテンツのうち予め規定されたスパムキーワードが存する場合に前記受信電子メールの発信元を前記メッセージの原本から抽出して発信元遮断リストデータベースに保存し、今後前記発信元遮断リストデータベースに存する発信元からの電子メールの受信を拒否することを特徴とする請求項１に記載のダイナミックＵＲＬ接続を通じたスパムメール自動遮断方法。
【請求項３】
前記ウェブページのコンテンツのうち予め規定されたスパムキーワードが存する場合に前記ダイナミックＵＲＬ情報をＵＲＬ遮断リストデータベースに保存し、今後前記ＵＲＬ遮断リストデータベースに存するダイナミックＵＲＬ情報がメッセージ原本に含まれた電子メールの受信を拒否することを特徴とする請求項１に記載のダイナミックＵＲＬ接続を通じたスパムメール自動遮断方法。
【請求項４】
前記ウェブページのコンテンツのうち予め規定されたスパムキーワードが存する場合に前記受信電子メールの発信元を前記メッセージ原本から抽出して発信元遮断リストデータベースに保存し、今後前記発信元遮断リストデータベースに存する発信元からの電子メールの受信を拒否することを特徴とする請求項３に記載のダイナミックＵＲＬ接続を通じたスパムメール自動遮断方法。
【請求項５】
前記ウェブページのコンテンツのうち予め規定されたスパムキーワードが存しない場合に一般メールとして分類し、前記ダイナミックＵＲＬ情報を前記メッセージ原本から抽出してＵＲＬ通過リストデータベースに保存し、今後前記ＵＲＬ通過リストデータベースに存するダイナミックＵＲＬ情報がメッセージ原本に含まれた電子メールを一般メールとして分類することを特徴とする請求項１ないし４のうちいずれか１つに記載のダイナミックＵＲＬ接続を通じたスパムメール自動遮断方法。
【発明の詳細な説明】
【０００１】
【発明の属する技術分野】
本発明はダイナミックＵＲＬ接続を通じたスパムメール自動遮断方法に関するものであって、特に受信された電子メールにリンクされているＵＲＬ情報を抽出して該当ウェブページに接続した後、予め規定された所定のスパムキーワードがある場合これをスパムメールとして漉し出して自動で遮断することができるようにしたダイナミックＵＲＬ接続を通じたスパムメール自動遮断方法に関するものである。
【０００２】
【従来の技術】
よく知られたとおり、電子メールシステムというのはインターネットを通じて特定なユーザとデータやメッセージを交換するシステムを言い、スパムメール（Ｓｐａｍ−Ｍａｉｌ）というのは受け取る方の意向を無視し大量にまき散らす広告、宣伝、勧誘などの商業的な目的を有する電子メールを言う。さらに広範囲的には、明示的な受信拒否意思に反する営利目的の広告性情報メール、システム性能を低下させる目的で発送する大量メール、プログラム著作権を侵害する不法ソフトウェアなどの販売広告メール、公序良俗を害する成人用品及び不健全サイトなどの広告メール及び恐怖心や不安感を引き起こすメールなどがスパムメールと見做され得る。
【０００３】
一方、このようなスパムメールが受信者に与える弊害を最小化するために韓国政府では情報通信網利用促進及び情報保護などに関する法律及びその下位法において多様かつ具体的なスパムメールの制限規定を備えておいてこれに違反する場合には所定の罰を課することができるように措置している。一例に、スパムメールの題名の頭に“（広告）”や“（成人広告）”というキーワードを必ず表示するように規定しているが、受信者がスパムメール濾過プログラムを設置した後にこのようなキーワードを題名として有する電子メールをスパムメールとして分類するように設定すれば今後このような題名を有する電子メールが自動的にスパムメールとして分類されるようになる。さらに現在はメールクライアントがスパムメール濾過のための任意キーワードを設定することもでき、題名または本文の内容中に前記設定キーワードを含んでいる電子メールが自動でスパムメールとして分類されるようになっている。以下、このような従来のスパムメール遮断方式を‘自体定規表現式’という。
【０００４】
一方、スパムメールとして漉し出されるのを避けるための努力も一層強化されているが、特に成人用サイトの広告メールの場合には平凡なメールの題名下に本文にはイメージのみを含ませた状態で成人用サイトのホームページＵＲＬ（Ｕｎｉｆｏｒｍ  Ｒｅｓｏｕｒｃｅ  Ｌｏｃａｔｏｒ）をリンクする方式が多く使用されている。
【０００５】
【発明が解決しようとする課題】
しかし、前述した従来の技術によると、受信電子メールの題名または本文の中にメールクライアントが設定したスパムキーワードが存するかどうかを検査するだけで、本文の内容にリンクされたＵＲＬに接続されるウェブページのコンテンツまでは検査しないため、前記のような変形されたスパムメールを全く漉し出すことができないという問題点がある。
【０００６】
本発明は前述した問題点を解決するために案出されたものであって、本発明の目的は、受信された電子メールにリンクされているＵＲＬ情報を抽出して該当ウェブページに接続した後、予め規定された所定のスパムキーワードがある場合、これをスパムメールとして漉し出して自動で遮断することができるようにしたダイナミックＵＲＬ接続を通じたスパムメール自動遮断方法を提供するところにある。
【０００７】
【課題を解決するための手段】
前述した目的を達成するために本発明のダイナミックＵＲＬ接続を通じたスパムメール自動遮断方法は、多数のメールサーバがインターネットを通じて連結されてなる電子メールシステムで行われるスパムメール自動遮断方法において、受信される電子メールのメッセージ原本に存するダイナミックＵＲＬ情報を抽出する段階；前記抽出されたダイナミックＵＲＬ情報にリンクされたウェブページに接続を行なう段階；及び前記ウェブページのコンテンツのうち予め規定されたスパムキーワードが存する場合に前記受信電子メールをスパムメールとして分類する段階を含んでなることを特徴とする。
【０００８】
前述した構成において、前記ウェブページのコンテンツのうち予め規定されたスパムキーワードが存する場合に前記受信電子メールの発信元を前記メッセージ原本から抽出して発信元遮断リストデータベースに保存し、今後前記発信元遮断リストデータベースに存する発信元からの電子メールの受信を拒否するのが好ましい。
【０００９】
好ましくは、前記ウェブページのコンテンツのうち予め規定されたスパムキーワードが存する場合に前記ダイナミックＵＲＬ情報をＵＲＬ遮断リストデータベースに保存し、今後前記ＵＲＬ遮断リストデータベースに存するダイナミックＵＲＬ情報がメッセージ原本に含まれた電子メールの受信を拒否する。
【００１０】
好ましくは、前記ウェブページのコンテンツのうち予め規定されたスパムキーワードが存しない場合に一般メールとして分類し、前記ダイナミックＵＲＬ情報を前記メッセージ原本から抽出してＵＲＬ通過リストデータベースに保存し、今後前記ＵＲＬ通過リストデータベースに存するダイナミックＵＲＬ情報がメッセージ原本に含まれた電子メールを一般メールとして分類する。
【００１１】
【発明の実施の形態】
以下、本発明の好ましい実施形態を添付の図面を参照して詳しく説明する。本実施形態は本発明の権利範囲を限定するのではなく、ただ例示として提示したものである。
【００１２】
図１は一般的な電子メールシステムのネットワーク構成図であって、一般的な電子メールの送／受信はインターネット３０に連結された電子メールクライアント（以下、‘メールクライアント’という）１８が自体ウェブサイト１０に備えられたメールサーバ（以下、‘自体メールサーバ’という）１２または自体ウェブサイト外部から電子メールサービスを提供する各種ウェブサイト、例えば大小のポータルサイトやＩＳＰ（Ｉｎｔｅｒｎｅｔ  Ｓｅｒｖｉｃｅ  Ｐｒｏｖｉｄｅｒ）のウェブサイト２０に備えられたメールサーバ（以下、‘外部メールサーバ’という）２４から電子メールアカウントを付与され行なうことができる。
【００１３】
自体ウェブサイト１０はウェブ文書を処理するウェブサーバ１４とメールの送／受信を担当するメールサーバ１２及びメールクライアント１８が構内網１６、例えばＬＡＮやイントラネットを通じて連結されてなされる。勿論、夫々の外部ウェブサイト２０にもウェブサーバ２２とメールサーバ２４が備えられている。図面において未説明符号４０は自体のウェブサイトを備えていないまま、主に家庭や個人事務室などで電話回線やケーブル、衛星、ＡＤＳＬ、ＩＳＤＮなどを通じてインターネット３０に接続する個人メールクライアントであるところ、このような個人メールクライアント４０は主に外部メールサーバ２４に加入してメールアカウントを無料で割り当てられた後で、電子メールサービスを利用する。勿論、自体ウェブサイト１０に属したメールクライアント１８も外部メールサーバ２４に加入して電子メールサービスを利用することができる。
【００１４】
一方、前述した電子メールシステムにおいて、任意の発信側メールクライアントが内部メールサーバ１２または外部メールサーバ２４を通じて送った電子メールはＳＭＴＰ（Ｓｉｍｐｌｅ  Ｍａｉｌ  Ｔｒａｎｓｆｅｒ  Ｐｒｏｔｏｃｏｌ；  簡易メール伝送プロトコル）により受信側のメールクライアントの電子メールアドレスとして代表される内部または外部メールサーバ１２、２４のメールボックスに伝送された後に保管される。以降、受信側メールクライアントはインターネット３０を通じて自分のメールボックスに接続してそこに保存されている電子メールを読み取ることができる。受信側のメールクライアントが自己受信の電子メ―ルを読み込んで来る方式ではメールサーバ１２、２４のメールボックスに保存されている電子メールをメールクライアントコンピュータのハードディスクにコピーする方式であるＰＯＰ３（Ｐｏｓｔ  Ｏｆｆｉｃｅ  Ｐｒｏｔｏｃｏｌ＃３：メールサーバから電子メールを受け取って来るための郵便局プロトコル）方式及び自己受信の電子メールをメールクライアントコンピュータにコピーする必要なしにメールボックスに保存させた状態で利用することができるようにするＩＭＡＰ（Ｉｎｔｅｒｎｅｔ  Ｍｅｓｓａｇｅ  Ａｃｃｅｓｓ  Ｐｒｏｔｏｃｏｌ）方式などがあるところ、このようなＰＯＰ３やＩＭＡＰは通常的に内部メールサーバシステムで多く採用している。
【００１５】
一方、最近にはＩＭＡＰに加え、インターネットに受信メールを保存しておいて、どこからもアクセスすることができるようにするウェブメールサービスが登場したが、このようなウェブメールを簡単に説明するとメールサーバとウェブサーバが合体したサービスと言える。即ち、メールクライアント側から見たウェブメールサーバは一般ウェブサーバと全く同じ形態を有しているところ、従ってメールクライアントがウェブメールサーバにアクセスするためにはウェブブラウザだけあれば良く、電子メールソフトウェアは必要がない。このようなウェブメール機能は各種ポータルサイトやＩＳＰなどでサービス次元で無償で提供している。
【００１６】
図２は本発明の一実施形態によるＵＲＬ情報抽出を通じたスパムメール自動遮断方法を説明するためのフローチャートであるところ、本発明のスパムメール自動遮断方法によるプログラム（以下、‘スパム遮断プログラム’という）は内部または外部メールサーバ１２、２４に統合されたり別個で設置され得るし、且つ個人メールクライアント４０の場合にはクライアントコンピュータの電子メールソフトウェアに統合されたり別個で設置されることができる。
【００１７】
また、以下で‘スパムキーワード（Ｋｅｙｗｏｒｄ）’というのはスパムメールにおいてよく使用される２つ以上の文字の集合を言う。例えば、前記スパムキーワードは公序良俗に反する成人用品及び不健全サイトなどの広告メールに頻繁に使用される‘セックス（ｓｅｘ）’、‘オーガズム’、‘ヌード’、‘ポルノ’‘ヤドン（いやらしい動映像の略語）’、‘変態’、または‘自慰’などが含まれ得る。
【００１８】
図２に示したとおり、先ず段階Ｓ１０において任意の電子メールが受信された場合にスパム遮断プログラムは段階Ｓ１２を行なって受信された電子メールのメッセージ原本にリンクされているウェブページ（以下、‘ダイナミックＵＲＬ’という）及び電子メールの発信元Ｅメールアドレス（以下、‘電子メール発信元’という）を抽出する。
【００１９】
例えば、図３は本発明の一実施形態による受信された電子メールのホップアップウィンドウを示した図であり、図４は本発明の一実施形態による受信された電子メールのメッセージ原本を示した図である。
【００２０】
図３及び図４に示したとおり、通常の電子メールはヘッダー（ｈｅａｄｅｒ）部とボディ部（Ｂｏｄｙ）に分けられるが、前記ヘッダー部には電子メールを正しく配送するために必要な電子メール発信元（ｓｄａ３５ｓ５ｇ３２−１３＠ｙａｈｏｏ．ｃｏｍ）及びメッセージの題名などが記載されており、前記ボディ部には例えば、本文の内容（ナイスバディーなくせに‥‥‥）と広告しようとする成人用サイトのホームページのＵＲＬ（ａ  ｈｒｅｆ＝”ｈｔｔｐ：／／ｗｗｗ．ｏｈｍｙｂｕｉｎ．ｃｏｍ／ｉｎｄｅｘ．ａｓｐ？ＩＤ＝３９５６６２３”）及びリンクされている複数個のイメージ１００情報が含まれているイメージＵＲＬ（ＩＭＧ  ａｌｔ＝ＯｈＭｙＢｕｉｎ．Ｃｏｍ  ｈｅｉｇｈｔ＝８５ｓｒｃ＝”ｈｔｔｐ：／／ｗｗｗ．ｏｈｍｙｂｕｉｎ．ｃｏｍ／ｂａｎｎｅｒｓ／ｔｉｔｌｅ．ｇｉｆ”ｗｉｄｔｈ＝５０４）情報のみが記載されている。
【００２１】
次に、段階Ｓ１４に進んで、前記電子メール発信元が発信元遮断リスト（データーベース）に登載されたアドレスであるかどうかを照会することになるが、このためのスパム遮断プログラムは発信元遮断リストＤＢ（データベース）を運用しなければならない。
【００２２】
段階Ｓ１４における判断の結果、前記電子メールの発信元が発信元遮断リストに登載されている場合には段階Ｓ３４に進み、当該電子メールの受信を拒否、例えば本文の内容を読まないまますぐ削除処理をすることになる。これによってメールサーバ（またはクライアント）が当該電子メールがスパムメールであるかどうかを確認するのに伴う負荷を軽減させることができる。
【００２３】
一方、段階Ｓ１４における判断の結果、前記電子メールの発信元が発信元遮断リストに登載されていない場合には段階Ｓ１６に進み、前記ダイナミックＵＲＬがＵＲＬ遮断リスト（データベース）に登載されたウェブページの住所であるかどうかを照会することになるが、このためのスパム遮断プログラムはＵＲＬ遮断リストＤＢ（データベース）を運用しなければならない。
【００２４】
段階Ｓ１６における判断の結果、前記ダイナミックＵＲＬがＵＲＬ遮断リストに登載されている場合には段階Ｓ３４に進み、当該電子メールの受信を拒否することになる。
【００２５】
一方、段階Ｓ１６における判断の結果、前記ダイナミックＵＲＬがＵＲＬ遮断リストに登載されていない場合には段階Ｓ１８に進み、前記ダイナミックＵＲＬがＵＲＬ通過リスト（データベース）に登載されたウェブページのアドレスであるかどうかを照会することになるが、このためにスパム遮断プログラムはＵＲＬ通過リストＤＢ（データベース）を運用しなければならない。
【００２６】
段階Ｓ１８における判断の結果、前記ダイナミックＵＲＬがＵＲＬ通過リストに登載されている場合には段階Ｓ３２に進み、当該電子メールを一般メールボックスに保存する。
【００２７】
反面、段階Ｓ１８における判断の結果、前記ダイナミックＵＲＬがＵＲＬ通過リストに登載されていない場合には段階Ｓ２０に進み、前記ダイナミックＵＲＬを利用して当該ウェブページに接続を行なうことになる。
【００２８】
次に、段階Ｓ２２に進み、接続されたウェブページのコンテンツ（Ｃｏｎｔｅｎｔｓ）を検索して自体的に運用するスパムキーワードデータベースに予め規定された通りのスパムキーワードが存するかどうかを判断する。段階Ｓ２２における判断の結果、当該接続されたウェブページのコンテンツに規定されたスパムキーワードが使用されていない場合には前記ＵＲＬ通過リストＤＢ（データベース）に該当電子メールのダイナミックＵＲＬを保存する。
【００２９】
一方、段階Ｓ２２における判断の結果、当該接続されたウェブページのコンテンツに規定されたスパムキーワードがそのまま存している場合には当該電子メールをスパムメールとして推定し段階Ｓ２４に進み前記発信元遮断リストＤＢ（データベース）に該当電子メールの発信元を保存すると共に段階Ｓ２６に進み前記ＵＲＬ遮断リストＤＢ（データベース）に該当電子メールのダイナミックＵＲＬを保存し、段階Ｓ２８に進み当該電子メールを‘スパムメールボックス’に保存した後終了する。
【００３０】
これにより、例えば下の［表１］及び［表２］は当該接続されたウェブページ（ｈｔｔｐ：／／ｗｗｗ．ｏｈｍｙｂｕｉｎ．ｃｏｍ／ｉｎｄｅｘ．ａｓｐ？ＩＤ＝３９５６６２３）のコンテンツソースのうち一部を抜粋して示したＨＴＭＬ文書であるところ、前記スパムキーワードとしては“やり友”、“オーガズム”、“成人ユーモア”、“変態”、“成人小説”、“オーラルセックス”、“性機具”または“自慰”などが含まれ得るし、このようなキーワードの内容がある電子メールがスパムメールとして容易に漉し出され得るであろう。
【００３１】
従って、本発明のダイナミックＵＲＬ接続を通じたスパムメール自動遮断方法によると、受信された電子メールにリンクされているＵＲＬ情報を抽出して当該ウェブページに接続した後、予め規定された所定のスパムキーワードがある場合、これをスパムメールとして漉し出して自動で遮断することによって、スパムメールの遮断効率を増進させることができる。
【００３２】
【表１】
2004240945.tif 000003
【００３３】
【表２】
2004240945.tif 000004
【００３４】
前述した本発明によるダイナミックＵＲＬ接続を通じたスパムメール自動遮断方法に対する好ましい実施形態について説明したが、本発明はこれに限定されるのではなく特許請求範囲と発明の詳細な説明及び添付した図面の範囲内で色々と変形して実施することが可能であり、これまた本発明に属する。
【００３５】
【発明の効果】
以上説明した通り、本発明のダイナミックＵＲＬ接続を通じたスパムメール自動遮断方法によると、受信された電子メールのＵＲＬ情報を抽出して該当ウェブサイトに接続した後、キーワード検索を通じて予め規定された所定のスパムキーワードがある場合、これをスパムメールとして分類して自動で遮断することによって、スパムメールの遮断効率をより増進させることができるだけでなく、既存システムで管理者が受信遮断リスト及び受信許容リストを探し出して登録する過程を経ずに自動で処理及び管理するので効率的かつ迅速であるという利点がある。
【図面の簡単な説明】
【図１】図１は一般的な電子メールシステムのネットワーク構成図である。
【図２】図２は本発明の一実施形態によるダイナミックＵＲＬ接続を通じたスパムメール自動遮断方法を説明するためのフローチャートである。
【図３】図３は本発明の一実施形態による受信された電子メールのホップアップウィンドウを示した図である。
【図４】図４は本発明の一実施形態による受信された電子メールのメッセージ原本を示した図である。
【符号の説明】
１０：自体ウェブサイト
１２：メールサーバ
１４：ウェブサーバ
１６：構内網
１８：メールクライアント
２０：外部ウェブサイト
２２：ウェブサーバ
２４：メールサーバ
３０：インターネット
４０：個人メールクライアント
【図１】
2004240945.tif 000005
【図２】
2004240945.tif 000006
【図３】
2004240945.tif 000007
【図４】
2004240945.tif 000008